(57)【要約】      （修正有）【課題】同一画面上に、選択車種の全体画像を中心に全体画像に重なることなく顧客の知りたい情報をその周囲に表示し知りたい情報を一目で分かるようにする。【解決手段】タイヤホイールのオンライン販売方法において、選択車種の全体画像と全体画像に重なることなくこの選択車種に適合するホイールを重ねて画像表示する手段と、タイヤホイールが選択されると選択車種に装着させ、適合可能なホイールサイズ、メーカー等のホイール情報、ホイール価格を表示する手段と、車体カラーの選択欄を選択車種の全体画像と重なることなく表示し、車体カラーが選択されるとその車体カラーに変更する手段と、車高の高低の調整用の欄を選択車種の全体画像と重なることなく表示し、高・低のいずれかが選択されるとその車高に変更する手段と、車種の全体画像の背景選択欄が画面上に小窓表示され、背景が選択されると背景を選択された背景に変更するシーン選択手段と、を備える。【選択図】図６
2010262544.tif 000002
【特許請求の範囲】
【請求項１】
車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールが個々のホイールの一部が見えるように重ねて画像表示される手段と、選ばれたタイヤホイールがクリックされると選択車種に装着させるとともに、適合可能なホイールサイズ、ホイールのメーカーなどのホイール情報、ホイール価格が表示される手段と、車体のBODY COLOR選択欄を選択車種の全体画像と重なることなく表示して顧客が視認できるようにするとともに、選ばれた色がクリックされると選択車種のBODY COLORを選択されたBODY COLORに変更させる手段と、車高の高低の調整欄を選択車種の全体画像と重なることなく表示して顧客が視認できるようにするとともに、高・低表示のいずれかがクリックされると選択車種の車高がそれに応じて変更される手段と、車種の全体画像の背景選択欄が画面上に小窓表示され、背景が選択されクリックされると画面上の車種の背景が選択された背景に変更されるSCENE選択手段を備えてなるタイヤホイールのオンライン販売方法。
【請求項２】
車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールが個々のホイールの一部が見えるように重ねて画像表示される手段を備えてなるタイヤホイールのオンライン販売方法。
【請求項３】
車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールを個々のホイールの一部が見えるように重ねて画像表示する手段と、選ばれたタイヤホイールがクリックされると選択車種に装着されるとともに、適合可能なホイールサイズ、ホイールのメーカーなどのホイール情報、ホイール価格が表示される手段とを備えてなるタイヤホイールのオンライン販売方法。
【請求項４】
車種に適合するタイヤホイールが画面上で車に装着表示されるタイヤホイールのオンライン販売方法において、同一画面上に、選択車種の全体画像と車高の高低の調整欄を選択車種の全体画像と重なることなく表示して顧客が視認できるようにするとともに、高・低表示のいずれかがクリックされると選択車種の車高がそれに応じて変更される手段とを備えてなるタイヤホイールのオンライン販売方法。
【請求項５】
車種に適合するタイヤホイールが画面上で車に装着表示されるタイヤホイールのオンライン販売方法において、同一画面上に、車種の全体画像の背景選択欄が画面上に小窓表示され、背景が選択されクリックされると画面上の車種の背景が選択された背景に変更されるSCENE選択手段を備えてなるタイヤホイールのオンライン販売方法。
【発明の詳細な説明】
【技術分野】
【０００１】
本発明は、タイヤホイールのオンライン販売方法に関するものである。
【背景技術】
【０００２】
近時、オンラインにより種々様々の商品が販売されるようになり、タイヤホイールについても例外ではない。しかし、顧客が自分の車に最適なホイールを選びたいと思っても、欲しいと思うホイールが顧客の車に物理的に適合するか否かといった適合性の問題、あるいは適合したとしてもデザイン的に好みに合うかといった顧客の趣味性の問題を容易に解決するオンライン販売方法を見出すのはそれほど簡単なことではない。たとえば特開平８−２７２８５０号公報においても関連技術が示されている。そこに示された図６のフローチャートそして図１０以降の画面に示されるように、メーカー名のみが表示された画面、選択されたメーカーの車種と各車種のボディカラーのみが表示された画面、選択された車種の画像データの上に物理的に適合するホイールがそれぞれ独立に並び表示された画面、選択されたホイールが選択された車種の画像に重ね書き（装着）される画面となっており、一見したところ実用上十分であるようにもみえる。
【０００３】
しかしながら、特開平８−２７２８５０号公報の図１２に示されるように、選択された車種の画像データの上に物理的に適合するホイールがそれぞれ独立に並び表示されているため、車種の全体画像が隠れ部分しか見えないうえに、表示されたホイールは独立に並び表示されているため４種類に過ぎず、明細書中に記載されているように、それ以外のホイールは改ページ処理により次のページに表示されるため、ホイールの種類が多いと改ページの回数が増えて煩しいものとなっていた。
顧客が自分の車に最適なホイールを選ぶ場合には、異種のホイールを見比べながら、また車種とのデザインの整合性を見据えて検討することが通例であるから、同一画面上にできるだけ多くのホイールが表示されていることが望ましいし、また車種は常に隠れることなくホイール画像とともに全体像が同一画面上に表示されることが望ましい。そうした観点からは、特開平８−２７２８５０号公報に示された技術では、車種の全体像と数多くのホイールとを同一画面で視認し比較検討できないという欠点があった。
【０００４】
さらに、車種の色の選択、車体の高低の調整、ホイールサイズ、価格なども、車種の全体画像と同一画面に互いに重なることなく表示されると、顧客にとって知りたいことが一目瞭然となるが、特開平８−２７２８５０号公報にはそうした工夫は見出されないなどの不満がある。
【０００５】
この改善策として、顧客が自分の車に最適なホイールを選ぶ支援手段として、画面に表示された選択車種の全体画像と重なることなく同一画面上に顧客の知りたい情報をできるだけ多く表示することを本発明者は想起し研究した結果、その具現化に以下に述べるように成功したものである。
【先行技術文献】
【特許文献】
【０００６】
【特許文献１】特開平８−２７２８５０号公報
【発明の概要】
【発明が解決しようとする課題】
【０００７】
解決しようとする問題点は、同一画面上に選択車種の全体画像を中心としてこの選択車種の全体画像に重なることなく顧客の知りたい情報をできるだけ多くその周囲に表示し知りたい情報を一目で分かるようにすることにある。
そのため、タイヤホイールについては、この選択車種に適合するホイールを個々のホイールの一部が見えるように重ねて画像表示することにより、多くの数のホイール画像を選択車種と同一画面上に表示し比較可能にすることにある。
そして、選んだタイヤホイールがクリックされると、同一画面上で選択車種に移動し装着されるとともに、適合可能なホイールサイズ、ホイールのメーカーなどの情報、価格が同一画面上に表示されるようにすることにある。
また、豊富な種類の色を揃えたBODY COLOR選択欄を選択車種の全体画像と重なることなく同一画面上に表示して顧客が視認できるようにするとともに、選んだBODY COLORを顧客がクリックするだけで同一画面上において選択車種がBODY COLORに変更されるようにすることにある。
さらに、HEIGHT(車高)の高低の調整欄を選択車種の全体画像と重なることなく同一画面上に表示して顧客が視認できるようにするとともに、高・低表示のいずれかがクリックされると同一画面上において選択車種の車高がそれに応じて変更されるようにすることにある。
さらにまた、車種の全体画像のSCENE選択欄が画面上に小窓表示され、いずれかの背景が選択される画面上の車種の背景が選択された背景に変更されるSCENE選択手段を備えてなるものである。
【課題を解決するための手段】
【０００８】
本発明は、車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールが個々のホイールの一部が見えるように重ねて画像表示される手段と、タイヤホイールが選択されると選択車種に装着させるとともに、適合可能なホイールサイズ、ホイールのメーカーなどのホイール情報、ホイール価格が表示される手段と、多種類の色を用意したBODY COLOR選択欄を選択車種の全体画像と重なることなく表示して顧客が視認できるようにするとともに、選ばれたBODY COLORがクリックされると選択車種のBODY COLORがそのBODY
COLORに変更される手段と、HEIGHT（車高）の高低の調整欄を選択車種の全体画像と重なることなく表示して顧客が視認できるようにするとともに、高・低表示のいずれかがクリックされると選択車種の車高がそれに応じて変更される手段と、車種の全体画像の背景となるSCENE選択欄が画面上に小窓表示され、いずれかの背景が選択される画面上の車種の背景が選択された背景に変更されるSCENE選択手段と、を備えてなるものである。
また本発明は、車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールが個々のホイールの一部が見えるように重ねて画像表示される手段を備えてなるものである。
そしてまた本発明は、車種に適合するタイヤホイールが画面上で車に装着表示されるタイヤホイールのオンライン販売方法において、同一画面上に、選択車種の全体画像とこの選択車種の全体画像に重なることなくこの選択車種に適合するホイールが個々のホイールの一部が見えるように重ねて画像表示される手段と、選ばれたタイヤホイールがクリックされると選択車種に装着されるとともに、適合可能なホイールサイズ、ホイールのメーカーなどのホイール情報、ホイール価格が表示される手段とを備えてなるものである。
さらに本発明は、車種に適合するタイヤホイールが画面上で車に装着表示されるタイヤホイールのオンライン販売方法において、同一画面上に、選択車種の全体画像と車高の高低の調整用の欄を選択車種の全体画像と重なることなく表示して顧客が視認できるようにするとともに、高・低表示のいずれかがクリックされると選択車種の車高がそれに応じて変更される手段とを備えてなるものである。
さらにまた本発明は、車種の全体画像の背景選択欄が画面上に小窓表示され、選ばれた背景がクリックされると画面上の車種の背景が選択された背景となるSCENE選択手段を備えてなるものである。
【発明の効果】
【０００９】
本発明のタイヤホイールのオンライン販売方法は、画面に表示された選択車種の全体画像と重なることなく同一画面上に顧客の知りたい情報すなわち選択車種に適合するホイール、適合可能なホイールサイズ、ホイールのメーカーなどのホイール情報、ホイール価格、多種類のBODY COLOR選択欄、車高の高低の調整欄、SCENE選択手段を表示するから、顧客にとっては知りたい情報が一目瞭然であり、顧客が自分の車に最適なホイールを選ぶための強力で有効な支援手段になるという利点がある。
【図面の簡単な説明】
【００１０】
【図１】本発明のタイヤホイールのオンライン販売方法の概略フローチャート図である。
【図２】本発明のタイヤホイールのオンラインショッピングにおけるホームを示した図面代用写真である。
【図３】ホームに配置表示されるホイールフィッティングのための導入表示部（ホイールフィッティングルーム）示した図面代用写真である。
【図４】車種選択画面を示した図面代用写真である。
【図５】選択車種の全体画像の背景付き表示、ホイール絞り込み検索欄、ホイール絞り込み検索欄、BODY COLOR選択欄、HEIGHT選択欄、SCENE選択欄を示した図面代用写真である。
【図６】ホイール絞り込み検索入力によりこの選択車種に適合するホイール画像がその全体数の表示とともに選択車種の全体画像に重なることなく表示され、購入希望者（消費者）により好みのホイールがクリックされると、その選択されたホイールはホイールの列から飛び出して全体像を表示した図面代用写真である。
【図７】車種に選択されたホイールが装着され、同時に画面上に、選択されたホイール情報が示された図面代用写真である。
【図８】説明を図７中に付した図面代用写真である。
【図９】オンンラインショッピング画面を表示した図面代用写真である。
【図１０】オプション選択画面を表示した図面代用写真である。
【図１１】カート画面を表示した図面代用写真である。
【図１２】数量・お届け先選択画面、オーダーフォーム入力画面を表示した図面代用写真である。
【発明を実施するための形態】
【００１１】
本発明は、車種に適合するタイヤホイールが画面上で車に装着表示されるタイヤホイールのオンライン販売方法において、同一画面上に、選択車種の全体画像に重なることなくこの選択車種に適合するホイールが個々のホイールの一部が見えるように重ねて画像表示される手段と、選ばれたタイヤホイールがクリックされると選択車種に装着されるとともに、適合可能なホイールサイズ、ホイールのメーカーなどのホイール情報、ホイール価格が表示される手段と、多種類の色を用意したBODY COLOR選択欄を選択車種の全体画像と重なることなく表示して顧客が視認できるようにするとともに、選ばれたBODY COLORがクリックされると選択車種のBODY COLORがそのBODY
COLORに変更される手段と、車高の高低の調整欄を選択車種の全体画像と重なることなく表示して顧客が視認できるようにするとともに、高・低の選択表示のいずれかがクリックされると選択された車種の車高がそれに応じて変更される車高可変手段と、車種の全体画像の背景選択欄が画面上に小窓表示され、背景が選ばれクリックされると画面上の車種の背景が選択された背景に変更されるSCENE選択手段と、を備えてなるものである。
【実施例１】
【００１２】
図１において、１は本発明のタイヤホイールのオンライン販売方法の概略フローチャート図である。
一般にオンラインショッピングにおいては、商品を公開するオンラインショップのコンピュータと商品を購入する消費者のコンピュータとが通信網（インターネット）で接続されることにより行われているが、本発明に係るタイヤホイールのオンライン販売方法においても基本的には同じである。オンラインショップのコンピュータは、商品提供手段、注文を処理する注文処理手段などの各種のプログラム、商品データなどの各種のデータを記憶する記憶部、各種のプログラムの制御を含め装置全体を制御する制御部（CPU）などから成り立っている。そのなかでも、本発明に係るタイヤホイールのオンライン販売方法は購入者の便宜を図るため、選択された車種に選択されたタイヤホイールが画面上で装着表示されるホイールフィッティングを中心とするプログラム制御に関するものであり、その概略をフローチャート図に示す。
車種選択により車種が選択されると（ステップ１）、画面に選択された車種の全体画像が、また同画面にホイール絞り込み検索欄、BODY COLOＲ欄、HEIGHT欄、SCENE欄が表示される（ステップ２）。この実施例ではホイール絞り込み検索欄は、検索対象を「すべて」、「タイヤ＆ホイールセット」、「ホイール単品」から選択可能とすることから始まり、シーズン、インチサイズ、ホイールメーカー、ホイールブランド、デザイン、価格帯から選択することができる。BODY COLOR欄では４９色のボディカラーが画面上に用意（表示）され、好みの色をクリックすると画面上の車種のボディカラーが選択されたカラーとなる。HEIGHT欄では、「UP」と「DOWN」のバナーのいずれかをクリックすれば車高の高低が可変となっている。SCENE欄は、車種の全体画像の背景が画面上に小窓表示され、好みの背景をクリックすると画面上の車種の背景が選択された背景となる。
そしてホイール絞り込み検索欄においてホイールの絞り込み入力がなされると（ステップ３）、入力条件に該当し、かつ選択車種に適合するホイールが、その全体数の表示とともに選択車種の全体画像に重なることなく個々のホイールのおおよそがわかる程度の部分が見えるように重ね表示される（ステップ４）。適合するホイールが多い場合は追加で表示できる。
ホイールが選択されると（ステップ５）、選択されたホイールは選択車種に装着される。同時に画面上に、選択されたホイール情報、この実施例ではホイールの全体画像、ホイールサイズ、メーカーブランド、商品名、リムが表示されるとともに、価格情報が表示される（ステップ６）。ホイールを再選択したい場合は、そのホイールをクリックすれば、同様に変更されたホイール情報、ホイールの全体画像、ホイールサイズ、メーカーブランド、商品名、リムが表示されるとともに、価格情報が画面表示される（ステップ７）。
購入者の気に入るホイールが決まり、PRICE CHECKの「詳細を見る」がクリックされると（ステップ８）、オンンラインショッピング画面へ遷移し（ステップ９）、選んだホイールの商品情報が表示されカート画面へと進む（ステップ１０）。
以後は、オプション選択画面（ステップ１１）、数量・お届け先選択画面、オーダーフォーム入力画面（ステップ１２）を経て注文受付完了となる。
【００１３】
図２はタイヤホイールのオンラインショッピングにおけるホームであり、ホイールフィッティングのための導入表示部（ホイールフィッティングルーム）配置表示されている（図３）。ホイール購入希望者（消費者）は、自分のパソコン上で、あるいはホイール販売店の販促用パソコン上で、この導入表示部（ホイールフィッティングルーム）を画面上でクリックするとこの導入表示部（ホイールフィッティングルーム）に入ることができ、車種選択画面となる（図４）。車種選択については公知の手段が種々あり詳細な説明は省略するが、この実施例でもメーカーの選択、そしてそのメーカーの販売車種一覧が表示され、そこから購買希望者は車種を選択すると画面は切り替わり選択された車種の全体画像が背景付きで表示されるとともにホイール絞り込み検索欄が表示される。また同一画面上にホイール絞り込み検索欄、BODY COLOR選択欄、HEIGHT選択欄、SCENE選択欄が表示される（図５）。尚、この実施例では、車種画像をクリックホールドして前後すれば車種画像を前後（画面上では左右）に移動させることができる。
そして購入希望者（消費者）がホイール絞り込み検索入力を終えると、この選択車種に適合するホイール画像がその全体数の表示とともに選択車種の全体画像に重なることなく個々のホイールのおおよそがわかる程度の部分が見えるように重ね表示される（図６）。また、適合するホイールが多く画面にすべてのホイールが表示できない場合は画面上でクリック操作すれば表示できるようにしている。
続いて購入希望者（消費者）が気に入ったホイールをクリックすると、この選択されたホイールはホイールの列から飛び出して全体像が表示されるとともに（図６）、選択されたホイールが車に装着されると同時に画面上に、選択されたホイール情報、この実施例ではホイールの全体画像、ホイールサイズ、メーカーブランド、商品名、リムが表示されるとともに、価格情報が表示される（図７）。価格の安い順あるいは価格の高い順に並び替えもできる。別のホイールに変更したい場合は、変更したいホイールをクリックすれば、同様に変更されたホイール情報、ホイールの全体画像、ホイールサイズ、メーカーブランド、商品名、リムが表示されるとともに、価格情報が表示される。図８において、１は商品の並び替え手段で価格の安い順あるいは高い順にできる手段である。２はボディカラーの変更手段である。３は車高の変更手段である。４は背景の変更手段である。５は価格の承認とオンラインショッピング画面への遷移である。
購入するホイールが決まった購入希望者がPRICE CHECKの「詳細を見る」欄をクリックすればオンンラインショッピング画面への遷移し（図９）、オプション選択画面（図１０）、カート画面（図１１）、数量・お届け先選択画面、オーダーフォーム入力画面（図１２）と進んで注文受付完了となる。
【産業上の利用可能性】
【００１４】
本発明のタイヤホイールのオンライン販売方法によれば、画面に表示された選択車種の全体画像と重なることなく同一画面上に顧客の知りたい情報、すなわち顧客が選択した車種に適合するホイール、適合可能なホイールサイズ、ホイールのメーカーなどのホイール情報、ホイール価格、色見本、車高の高低の調整用の欄を表示するから、顧客にとっては知りたい情報が一目瞭然であり、顧客が自分の車に最適なホイールを選ぶための強力で有効な支援手段になるという利点がある。
【符号の説明】
【００１５】
１  本発明のタイヤホイールのオンライン販売方法の概略フローチャート図である。
【図１】
2010262544.tif 000003
【図２】
2010262544.tif 000004
【図３】
2010262544.tif 000005
【図４】
2010262544.tif 000006
【図５】
2010262544.tif 000007
【図６】
2010262544.tif 000008
【図７】
2010262544.tif 000009
【図８】
2010262544.tif 000010
【図９】
2010262544.tif 000011
【図１０】
2010262544.tif 000012
【図１１】
2010262544.tif 000013
【図１２】
2010262544.tif 000014